(57)【要約】  本発明は、薬剤送達デバイス（１０、１１０）であって、薬剤受容要素（１４）と、薬剤受容要素（１４）の方に流体蒸気を導くように構成された流体出口（２９ｂ）を有する少なくとも１つの流体チャンバ（１６）と、少なくとも１つの流体チャンバ（１６）内の流体を加熱するための加熱要素（３０）とを含む、薬剤送達デバイスに関する。デバイス（１０）は、使用のとき、加熱要素（３０）が、少なくとも１つの流体チャンバ（１６）内の流体を少なくとも部分的に蒸発させるようにその流体を加熱し、それによって流体が少なくとも１つの流体チャンバ（１６）から流体出口（２９ｂ）を通って薬剤受容要素（１４）の方へと排出されて患者の皮膚の方に向けて薬剤を同伴するほどまで少なくとも１つの流体チャンバ（１６）内の蒸気圧が上昇するように、構成される。
2020501829.tif 000002
【特許請求の範囲】
【請求項１】
薬剤送達デバイス（１０、１１０）であって：
薬剤受容要素（１４）と；
該薬剤受容要素（１４）の方に流体蒸気を導くように構成された流体出口（２９ｂ）を有する少なくとも１つの流体チャンバ（１６）と；
該少なくとも１つの流体チャンバ（１６）内の流体を加熱するための加熱要素（３０）と；
を含み、
該デバイス（１０）は、使用のとき、加熱要素（３０）が、少なくとも１つの流体チャンバ（１６）内の流体を少なくとも部分的に蒸発させるように流体を加熱し、それによって流体が少なくとも１つの流体チャンバ（１６）から流体出口（２９ｂ）を通って薬剤受容要素（１４）の方へと排出されて患者の皮膚の方に向けて薬剤を同伴するほどまで少なくとも１つの流体チャンバ（１６）内の蒸気圧が上昇するように、構成される、
前記薬剤送達デバイス。
【請求項２】
流体出口（２９ｂ）は、微小ノズルを含む、請求項１に記載の薬剤送達デバイス（１０）。
【請求項３】
流体出口（２９ｂ）は、逆止弁（３３）を含む、請求項１に記載の薬剤送達デバイス（１１０）。
【請求項４】
加熱要素（３０）は、抵抗式であり、流体を加熱するために電流パルスを受けるように構成される、請求項１〜３のいずれか１項に記載の薬剤送達デバイス（１０、１１０）。
【請求項５】
少なくとも１つの流体チャンバ（１６）は、放熱を防ぐように断熱要素（３１）を含む、請求項１〜４のいずれか１項に記載の薬剤送達デバイス（１０、１１０）。
【請求項６】
流体リザーバ（１５）と、
該流体リザーバ（１５）から少なくとも１つの流体チャンバ（１６）に流体をポンプ輸送するための流体ポンプ機構（２７）と
を含む、請求項１〜５のいずれか１項に記載の薬剤送達デバイス（１０、１１０）。
【請求項７】
薬剤受容要素（１４）は、多孔質部材（３５）を含み、該多孔質部材は、薬剤を保持するように構成され、使用のとき薬剤が、多孔質部材（３５）から、少なくとも１つの流体チャンバ（１６）の流体出口（２９ｂ）から排出された流体内に同伴されて患者の皮膚の方へと通過するように、配置される、請求項１〜６のいずれか１項に記載の薬剤送達デバイス（１０）。
【請求項８】
薬剤受容要素（１４）は、分配篩（３２）を含み、該分配篩は、使用のとき薬剤が、該分配篩（３２）の中を、少なくとも１つの流体チャンバ（１６）の流体出口（２９ｂ）から排出された流体内に同伴されて患者の皮膚の方へと通過するように、配置される、請求項１〜７のいずれか１項に記載の薬剤送達デバイス（１０）。
【請求項９】
薬剤受容要素（１４）は、薬剤を受けるように構成されたチャンバ（３６）を含み、該チャンバ（３６）は、薬剤を該チャンバ（３６）から患者に送達するための送達部分（３４）を含む、請求項１〜６のいずれか１項に記載の薬剤送達デバイス（１１０）。
【請求項１０】
複数の流体チャンバ（１６）を含む、
請求項１〜９のいずれか１項に記載の薬剤送達デバイス（１０、１１０）。
【請求項１１】
薬剤のカートリッジ（１５）を含む、
請求項１〜１０のいずれか１項に記載の薬剤送達デバイス（１０、１１０）。
【請求項１２】
患者への薬剤送達を制御するプロセッサ（１８）を含む、
請求項１〜１１のいずれか１項に記載の薬剤送達デバイス（１０、１１０）。
【請求項１３】
薬剤送達デバイス（１０）は、インスリン送達デバイスである、請求項１〜１２のいずれか１項に記載の薬剤送達デバイス（１０、１１０）。
【請求項１４】
プロセッサ（１８）が患者へのインスリン送達を制御するように、プロセッサ（１８）に患者の血糖に関するデータを送るように構成された血糖センサを含む、
請求項１２または１３に記載の薬剤送達デバイス（１０、１１０）。
【請求項１５】
薬剤受容要素（１４）は、ガス透過性である、請求項１〜１４のいずれか１項に記載の薬剤送達デバイス（１０、１１０）。
【請求項１６】
流体が少なくとも１つの流体チャンバ（１６）から流体出口（２９ｂ）を通って排出されて薬剤受容要素（１４）を通過するように構成された、請求項１〜１５のいずれか１項に記載の薬剤送達デバイス（１０、１１０）。
【請求項１７】
薬剤が薬剤受容要素（１４）へと輸送され、その後に加熱要素（３０）が少なくとも１つの流体チャンバ（１６）内の流体を加熱して該流体を少なくとも部分的に蒸発させるように構成された、請求項１〜１６のいずれか１項に記載の薬剤送達デバイス（１０、１１０）。
【請求項１８】
流体チャンバ（１６）であって、請求項１〜１７のいずれか１項に記載の薬剤送達デバイス（１０）において使用されるための、前記流体チャンバ。
【請求項１９】
薬剤を送達する方法であって、
薬剤受容要素（１４）と、該薬剤受容要素（１４）の方に流体蒸気を導くように構成された流体出口（２９ｂ）を有する少なくとも１つの流体チャンバ（１６）と、該少なくとも１つの流体チャンバ（１６）内の流体を加熱するための加熱要素（３０）とを含む薬剤送達デバイス（１０、１１０）を使用すること、を含み、
加熱要素（３０）を使用して、少なくとも１つの流体チャンバ（１６）内の流体を少なくとも部分的に蒸発させるように流体を加熱し、それによって該流体が少なくとも１つの流体チャンバ（１６）から流体出口（２９ｂ）を通って薬剤受容要素（１４）の方へと排出されて患者の皮膚の方に向けて薬剤を同伴するほどまで少なくとも１つの流体チャンバ（１６）内の蒸気圧が上昇するようにすること
を含む、前記方法。
【発明の詳細な説明】
【技術分野】
【０００１】
本発明は、患者に薬剤を送達するためのデバイスに関する。
【背景技術】
【０００２】
針ベースの薬剤送達デバイスは、患者に薬剤を投与するために最もよく使用される手段の１つである。著しい進歩にもかかわらず、このタイプのデバイスにはいまだに欠点がある。１つのそのような欠点は、患者の皮膚内に薬剤を注射する針の使用が不可避的に注射部位に穴を作ることを伴い、それによって組織損傷が引き起こされる、という欠点である。加えて、皮膚内への注射針の貫入は、患者、特に子供にとって苦痛となり得ることが知られている。
【０００３】
１型または２型の糖尿病患者によって使用されるインスリンポンプなどのパッチポンプは、針ベースの薬剤送達デバイスの特定のタイプである。このタイプのデバイスは、皮下注射針を用いて患者に固定量のインスリンを自動的に定期的に注射するように構成されている。１つの欠点は、針が患者の体内に恒久的に挿入されなければならないことである。これは、患者にとって不快で心地悪く、炎症および合併症につながることもある。
【発明の概要】
【発明が解決しようとする課題】
【０００４】
少なくとも特定の実施形態では、本発明は、上述の問題のうちの少なくともいくつかを克服または緩和することを目的とする。具体的には、本発明は、患者の皮膚内への針の導入および／または存在により引き起こされる不快感を低減させる薬剤送達デバイスの提供を目的とする。
【課題を解決するための手段】
【０００５】
本発明の態様は、薬剤送達デバイスに関する。
【０００６】
本発明のさらなる一態様によれば、薬剤受容要素と、薬剤受容要素の方に流体蒸気を導くように構成された流体出口を有する少なくとも１つの流体チャンバと、少なくとも１つの流体チャンバ内の流体を加熱するための加熱要素とを含む薬剤デバイスが提供される。デバイスは、使用のとき、加熱要素が、少なくとも１つの流体チャンバ内の流体を少なくとも部分的に蒸発させるようにその流体を加熱し、それによって流体が少なくとも１つの流体チャンバから流体出口を通って薬剤受容要素の方へと排出されて患者の皮膚の方に向けて薬剤を同伴するほどまで少なくとも１つの流体チャンバ内の蒸気圧が上昇するように、構成される。
【０００７】
流体出口は、微小ノズルを含むことができる。
【０００８】
流体出口は、逆止弁を含むことができる。
【０００９】
加熱要素は、抵抗式とすることができ、流体を加熱するために電流パルスを受けるように構成される。
【００１０】
少なくとも１つの流体チャンバは、放熱を防ぐように断熱要素を含むことができる。
【００１１】
薬剤送達デバイスは、流体リザーバと、流体リザーバから少なくとも１つの流体チャンバに流体をポンプ輸送するための流体ポンプ機構とを含むことができる。
【００１２】
薬剤受容要素は、多孔質部材を含むことができる。多孔質部材は、薬剤を保持するように構成され、使用のとき薬剤が、多孔質部材から、少なくとも１つの流体チャンバの流体出口から排出された流体内に同伴されて患者の皮膚の方へと通過するように、配置される。
【００１３】
薬剤受容要素は、分配篩を含むことができる。分配篩は、使用のとき薬剤が、分配篩の中を、少なくとも１つの流体チャンバの流体出口から排出された流体内に同伴されて患者の皮膚の方へと通過するように、配置される。
【００１４】
薬剤受容要素は、薬剤を受けるように構成されたチャンバを含むことができる。チャンバは、薬剤をチャンバから患者に送達するための送達部分を含む。
【００１５】
薬剤送達デバイスは、複数の流体チャンバを含むことができる。
【００１６】
薬剤送達デバイスは、薬剤のカートリッジを含むことができる。
【００１７】
薬剤送達デバイスは、患者への薬剤送達を制御するプロセッサを含むことができる。
【００１８】
薬剤送達デバイスは、インスリン送達デバイスとすることができる。
【００１９】
薬剤送達デバイスは、プロセッサが患者へのインスリン送達を制御するように、プロセッサに患者の血糖に関するデータを送るように構成された血糖センサを含むことができる。
【００２０】
一実施形態では、薬剤受容要素は、ガス透過性である。
【００２１】
一実施形態では、薬剤送達デバイスは、流体が少なくとも１つの流体チャンバから流体出口を通って排出されて薬剤受容要素を通過するように構成される。
【００２２】
一実施形態では、薬剤送達デバイスは、薬剤が薬剤受容要素へと輸送され、その後に加熱要素が少なくとも１つの流体チャンバ内の流体を加熱して流体を少なくとも部分的に蒸発させるように、構成される。
【００２３】
一実施形態では、加熱要素は、少なくとも１つの流体チャンバ内の流体を加熱するように温度が上がるように構成される。
【００２４】
本発明のさらなる一態様によれば、上述のような薬剤送達デバイスにおいて使用されるための流体チャンバが提供される。
【００２５】
本発明のさらなる一態様によれば、薬剤受容要素と、薬剤受容要素の方に流体蒸気を導くように構成された流体出口を有する少なくとも１つの流体チャンバと、少なくとも１つの流体チャンバ内の流体を加熱するための加熱要素とを含む薬剤送達デバイスを使用することを含む、薬剤を送達する方法が提供される。方法は、加熱要素を使用して、少なくとも１つの流体チャンバ内の流体を少なくとも部分的に蒸発させるように流体を加熱し、それによって流体が少なくとも１つの流体チャンバから流体出口を通って薬剤受容要素の方へと排出されて患者の皮膚の方に向けて薬剤を同伴するほどまで少なくとも１つの流体チャンバ内の蒸気圧が上昇するようにすることを含む。
【００２６】
本明細書で相互交換可能に使用する用語「薬物」または「薬剤」は、少なくとも１つの薬学的に活性な化合物を含む医薬製剤を意味する。
【００２７】
用語「薬物送達デバイス」は、薬物をヒトまたは（獣医学用途が本開示によって明確に企図される場合）動物の体内に直ちに投薬するように設計されたあらゆるタイプのデバイス、システムまたは装置を包含すると理解されたい。「直ちに投薬」とは、薬物送達デバイスからの薬物の放出と、ヒトまたは動物の体内への投与との間に、使用者による薬物の任意の必須の中間操作がないことを意味する。限定されることなく、薬物送達デバイスの典型的な例は、注射デバイス、吸入器、および胃管用の供給システムに見られる。やはりまた限定されることなく、例示的な注射デバイスは、たとえばパッチデバイス、自動注射器、注射ペンデバイスおよび脊髄注射システムを含むことができる。
【００２８】
添付の図面を参照して、本発明の例示的な実施形態について説明する。
【図面の簡単な説明】
【００２９】
【図１Ａ】本発明による薬剤送達デバイスの一実施形態の概略断面図である。
【図１Ｂ】図１Ａの薬剤送達デバイスの一変形形態の一部の概略断面図である。
【図２】本発明による薬剤送達デバイスのさらなる一実施形態の一部の概略断面図である。
【図３】図２の薬剤送達デバイスに使用される弁の概略図である。
【図４】本発明による薬剤送達デバイスに使用される流体チャンバの一変形形態の概略断面図である。
【発明を実施するための形態】
【００３０】
本発明の実施形態は、薬剤送達デバイスであって、薬剤受容要素と、薬剤受容要素の方に流体蒸気を導くように構成された流体出口を有する少なくとも１つの流体チャンバと、少なくとも１つの流体チャンバ内の流体を加熱するための加熱要素とを含む、薬剤送達デバイスを提供する。デバイスは、使用のとき、加熱要素が、少なくとも１つの流体チャンバ内の流体を少なくとも部分的に蒸発させるように流体を加熱し、それによって流体が少なくとも１つの流体チャンバから流体出口を通って薬剤受容要素の方へと排出され患者の皮膚の方に向けて薬剤を同伴するほどまで少なくとも１つの流体チャンバ内の蒸気圧が上昇するように、構成される。そのような薬剤送達機構を提供することによって、患者への薬剤の送達に注射針を使用することを回避することが可能となる。注射針が必要ないので、薬剤送達において注射部位に穴をあける必要がなくなり、したがって、組織損傷ならびに痛みや不快感の発生が回避される。加えて、患者の皮膚内への針の導入および／または存在により起こり得る炎症および合併症が回避される。
【００３１】
本開示のいくつかの実施形態によれば、図１には、本明細書では単に「デバイス１０」と称される例示的な薬物送達デバイス１０が示されている。
【００３２】
この適用例の文脈では、本明細書における用語「近位」および「遠位」はそれぞれ患者に相対的により近いおよび患者から相対的により遠いことを示す。さらに、本明細書では、用語「上流」および「下流」は、通常の使用においてデバイスの中の薬剤の流れおよび流体の流れの方向に関して使用される。さらに、本明細書では、用語「垂直方向に」、「水平方向に」などは、添付の図面に示されるデバイスの向きに関して使用される。
【００３３】
本明細書に記載されるような薬物送達デバイスは、薬剤を患者に注射するように構成される。そのようなデバイスは、患者、または看護師もしくは内科医などの介護者によって操作される。本発明によるデバイスは、「大」量の（典型的には、約２ｍｌ〜約１０ｍｌ、またはそれを上回る）薬剤を送達するために、ある時間にわたって（たとえば、約５、１５、３０、６０もしくは１２０分間、またはそれよりも長く）患者の皮膚に粘着されるように構成される、大容量デバイス（「ＬＶＤ」）またはパッチポンプを含む。以下により詳細に説明するように、本明細書に記載の実施形態では、薬剤送達デバイスは、繰り返しの薬剤放出または「ショット」によって薬剤を送達するように構成される。
【００３４】
特定の薬剤と組み合わせて、上述したデバイスは、必要な仕様内で動作するためにカスタマイズすることもできる。たとえば、デバイスは、ある時間内に（たとえば、約１０分〜約６０分間、またはそれよりも長く）薬剤を注射するようにカスタマイズすることができる。他の仕様は、低いまたは最低限のレベルの不便さ、すなわち人的要因、保存可能期間、満期、生体適合性、環境的考慮などに関する一定の条件に対する不便さを含むことがある。そのような変化は、たとえば粘度が約３ｃＰ〜約５０ｃＰの範囲の薬物など、様々な要因により起こることがある。
【００３５】
本明細書に記載の送達デバイスは、１つまたはそれ以上の自動化機能を含むこともできる。たとえば、薬剤の注射を自動化することができる。１つまたはそれ以上の自動化工程のためのエネルギーは、１つまたはそれ以上のエネルギー源によって供給される。エネルギー源は、たとえば機械的、空気圧、化学的、または電気的エネルギーを含むことができる。たとえば、機械的エネルギー源として、エネルギーを蓄積または解放するための、ばね、てこ、エラストマー、または他の機械的機構を挙げることができる。１つまたはそれ以上のエネルギー源は、単一のデバイスに一体化することができる。デバイスは、エネルギーをデバイスの１つまたはそれ以上の構成要素の動きに変換するための、歯車、弁、または他の機構をさらに含むことができる。
【００３６】
本薬物送達デバイスの１つまたはそれ以上の自動化機能はそれぞれ、起動機構を介して起動される。このような起動機構は、ボタン、レバーまたは他の起動構成要素のうちの１つまたはそれ以上を含むことができる。自動化機能の起動は、一段階プロセスまたは多段階プロセスとすることができる。すなわち、自動化機能を行わせるために、使用者は１つまたはそれ以上の起動構成要素を起動する必要があり得る。たとえば一段階プロセスにおいて、薬剤の注射を行わせるために、使用者はボタンを押し下げる、またはユーザーインターフェースと相互に作用することができる。他のデバイスでは、自動化機能の多段階の起動が必要となり得る。
【００３７】
デバイス１０は、典型的には注射予定の液体薬剤充填済みのリザーバ１２および送達プロセスの１つまたはそれ以上の工程の促進に必要な構成要素を収容する、本体またはハウジング１１を含む。デバイス１０は、ハウジング１１に取り外し可能に取り付けられる保護カバー１３をさらに含むことができる。典型的には、最初にデバイス１０を使用するとき、使用者は、ハウジング１１から保護カバー１３を除去しなければならず、それからデバイス１０を操作することができる。
【００３８】
図１に示されるように、デバイス１０は、薬剤リザーバ１２から薬剤を受けるように構成される薬剤保持要素または薬剤受容要素１４を含む。デバイス１０は、流体リザーバ１５と、流体リザーバ１５から流体を受けるように構成される複数の流体チャンバ１６とをさらに含む。デバイス１０は、デバイス１０の動作の監視および／または制御のためのプロセッサ１８と、使い捨てもしくは再充電可能な電池などの電力供給源２０またはパルス電流を生成するように構成される電力供給源２０とをさらに含む。デバイス１０は、ユーザーインターフェース１９と、無線通信装置２１とをさらに含む。
【００３９】
デバイス１０は、ウェアラブルデバイスであることが好ましい。そのようなデバイスは、身に着けられるという性質または使用者の皮膚に貼着されることから、一般的に「パッチポンプ」と呼ばれる。デバイス１０は、デバイス保持要素２２を含む。デバイス保持要素２２は、たとえば真空によりデバイス１０を患者の皮膚に付着させるように動作する。あるいは、保持要素２２は、患者の皮膚に付着するように構成される粘着パッドの形態であってもよい。粘着パッドは、デバイス１０の皮膚取り付け側に取り付けられ、デバイス１０の最初の使用の前は保護カバー１３で覆われる。
【００４０】
本明細書に記載のデバイス１０において、薬剤受容要素１４は、分配篩、メッシュまたはフリース３２の形態である。分配篩３２は、流体チャンバ１６の下流に配置される。使用のとき、分配篩３２には薬剤リザーバ１２から流れる薬剤が送り込まれ、分配篩３２はその薬剤の小滴を患者の皮膚に送達する。保護カバー１３は、デバイス１０の最初の使用の前は分配篩３２に取り付けてあってよい。
【００４１】
デバイス１０は、薬剤が中を薬剤リザーバ１２から分配篩３２の方へと流れることができる薬剤流出ライン２３を含む。薬剤流出ライン２３内には、薬剤を薬剤リザーバ１２から分配篩３２の方にポンプ輸送するための薬剤ポンプ機構２４が設けられる。薬剤ポンプ機構２４は、薬剤が薬剤リザーバ１２から分配篩３２の方に薬剤流出ライン２３の中を一方向にしか流れることができないようにする逆止弁またはチェック弁２５を含む。
【００４２】
流体リザーバ１５は、流体を受けるおよび／または収納するように適用される。流体は、蒸発し、分配篩３２の中を患者の皮膚の方に向けて薬剤を同伴または推進させるためのものである。本明細書に記載のデバイス１０において使用される流体は、たとえば滅菌水である液体である。デバイス１０から薬剤を排出するための流体として使用される水は、中性溶液であり患者にいかなる副作用も与えないという利点を有する。
【００４３】
流体リザーバまたは水リザーバ１５は、流体流出ライン２６によって流体チャンバ１６に連結される。流体流出ライン２６内には、流体を流体リザーバ１５から流体チャンバ１６へとポンプ輸送するための流体ポンプ機構２７が設けられる。流体ポンプ機構２７は、流体が流体リザーバ１５から流体チャンバ１６の方に流体流出ライン２６の中を一方向にしか流れることができないようにする逆止弁またはチェック弁２８を含む。
【００４４】
流体チャンバ１６は、流体リザーバ１５の下流かつ分配篩３２の上流に配置される。流体チャンバ１６は、互いに水平方向に心合わせされる。流体チャンバ１６は、流体入口２９ａと、流体またはスチームの出口２９ｂとを含む。流体入口２９ａは、流体チャンバ１６の上壁内に配置される。流体出口２９ｂは、流体チャンバ１６の下壁内に配置される。流体出口２９ｂは、流体チャンバ１６から実質的に垂直方向に延びる。流体出口２９ｂは、流体蒸気を分配篩３２の方に導くように構成される。流体チャンバ１６は互いに類似している。デバイス１０の流体チャンバ１６の数は、ある時間にわたって注射予定の流体または薬剤の量に応じて決まる。デバイス１０がインスリンなどの薬剤の長期投与に使用することが意図される実施形態では、デバイスは、（図１Ｂに示されるような）単一の流体チャンバ１６を含むことができる。デバイス１０が、たとえば１０ｍｌ以上の薬剤をたとえば１時間で送達するように構成される、大容量デバイス（「ＬＶＤ」）である実施形態では、デバイス１０は、２つ以上の流体チャンバ１６を含むことができる。好ましい実施形態では、デバイス１０は、２つの流体チャンバ１６を含む。使用のとき、デバイス１０は、同じ注射部位に繰り返し薬剤注射を行うことによる患者の皮膚の炎症を回避するように、患者の皮膚上のいくつか異なる場所に配置（ｐｏｓｉｔｉｏｎ）することができる。さらに、デバイス１０は、同じ注射部位に繰り返し注射を行った後に見られることがある不安な記憶からくる痛みの感覚を低減させるために、患者の皮膚上のいくつか異なる場所に配置してもよい。
【００４５】
流体出口２９ｂは、流体チャンバ１６の断面積よりも実質的に小さい断面積を有する。本明細書に記載のデバイス１０では、流体出口２９ｂは、微小ノズルの形態である。流体出口２９ｂをそのような構造にすることによって、流体が流体チャンバ１６内で蒸発すると、流体チャンバ１６内で蒸気圧のサージが生じることが確実になる。流体チャンバ１６内で流体が蒸発すると、流体チャンバ１６内の蒸気圧が閾値に達するまで上昇し、達したところで流体蒸気が流体チャンバ１６から微小ノズルを通って吐出され分配篩３２内に一気に放出される。換言すると、流体チャンバ１６内の蒸気圧が閾値に達すると、流体チャンバ１６内で水蒸気爆発またはスチーム噴射が起こり、それによって水蒸気が流体チャンバ１６から流体出口２９ｂを通って分配篩３２内へと推進される。
【００４６】
加熱要素３０は、流体チャンバ１６内の流体を加熱するように設けられる。加熱要素３０は、流体チャンバ１６内に配置される。加熱要素３０は、使用のとき、流体チャンバ１６に受けられる水と接触するように配置される。加熱要素３０は、たとえば、流体チャンバ１６の内壁に配置される抵抗層または抵抗成形体の形態である。本明細書に記載の実施形態では、加熱要素３０は、流体チャンバ１６内の水を加熱するために、電力供給源２０から電流パルスを受けるように構成される。より具体的には、加熱要素３０は、流体チャンバ１６内の流体を断続的に加熱するように構成され、この加熱により流体チャンバ１６内でそれに対応した蒸気圧の不連続なサージが引き起こされ、それに対応して薬剤が患者の皮膚の方に向けて放出される。
【００４７】
流体チャンバ１６内で水を蒸発させるのに必要な加熱電力の概算には、下式が使用される。
【数１】
2020501829.tif 000003
【００４８】
式中、ΔＱは加熱要素３０から水に伝達されるエネルギー量、ΔＴは温度差、Ｃは水蒸気の熱容量、ｍは加熱される水の質量、ｃは水蒸気の質量熱容量（ｍａｓｓ  ｈｅａｔ  ｃａｐａｃｉｔｙ）である。たとえば、１０μＬの水滴を１００Ｋの温度上昇を用いて１秒間加熱するには、４．１８Ｗの加熱電力を必要とする。同じ温度上昇を用いて同じ量の水をわずか１００ｍｓ間で加熱するには、４１．８Ｗ必要となる。たとえば、電圧５ボルトで１００Ｗの加熱電力を有するように、デバイス１０は０．２５オームの抵抗を有する抵抗器の形態の加熱要素３０を含むことができる。
【００４９】
加熱要素３０は、適切な電子構成要素と組み合わされるバイメタル過熱防止器または温度センサなどの温度過昇保護装置（ｐｒｏｔｅｃｔｉｏｎ）（図示せず）によって保護される。
【００５０】
加熱要素３０は、最低限の熱損失で水を最適に加熱するように配置される。熱損失をさらに最低に抑えるため、流体チャンバ１６は、断熱要素３１を含む。断熱要素３１は、流体チャンバ１６からの放熱を防ぐように設けられ、それによって流体チャンバ１６内の水の加熱効率が向上する。断熱要素３１は、たとえば、流体チャンバ１６の外壁上に設けられる、たとえば流体チャンバ１６の外壁を囲繞する、断熱層の形態である。
【００５１】
薬剤送達のパラメータは、送達予定薬剤および薬剤が送達される患者に応じて適用される。具体的には、網羅的でなく、分配篩３２を通る薬剤の流速、微小ノズルのサイズ、水蒸気の温度および使用される水の量は、たとえば活性成分の粘度である薬剤の活性成分の特性に応じて、およびたとえば患者の皮膚のタイプなど患者に応じて適用される。
【００５２】
プロセッサ１８は、他のデバイスとの間で無線により情報を送信および／または受信するように構成される無線通信装置２１を制御する。そのような伝送は、たとえば、無線伝送または光伝送に基づいていてよい。いくつかの実施形態では、無線通信装置２１は、Ｂｌｕｅｔｏｏｔｈ送受信機である。あるいは、無線通信装置２１は、他のデバイスとの間で、たとえばケーブルまたはファイバ接続を介した有線接続により情報を送信および／または受信するように構成される有線装置によって代用または補完してもよい。データが送信されるとき、転送されるデータの単位（値）は、明示的または暗示的に定められる（ｄｅｆｉｎｅｄ）。たとえば、インスリン用量の場合、常に国際単位（ＩＵ）が使用され、またはそうでない場合、使用される単位は、たとえば符号化された形式で明示的に転送される。
【００５３】
デバイス１０は、患者の血糖に関するデータをプロセッサ１８に送るように構成される血糖センサ（図示せず）を含むことができる。したがって、プロセッサ１８は、たとえば患者の血糖値に応じて、患者へのインスリン送達を制御することができる。たとえば、米国特許出願公開第２００４０１６２４７０Ａ１号に記載されるような血糖センサを使用することができる。
【００５４】
次に、本発明による薬剤注射デバイス１０の動作について説明する。
【００５５】
デバイス１０は、使用者がさらにプラグラムする必要がないように、たとえば製造設備でまたはヘルスケア提供者によって、予めプログラムされる。デバイス１０は、１日の時間ごとに異なる速度で、または異なる条件下で、患者に薬物を送達するようにプログラムされる。たとえば、１日当たり最大２ｍＬのインスリン量を必要とする患者の場合、デバイス１０は、たとえば２５μＬの注射を１時間当たり４回行うようにプログラムすることによって、１時間当たり０．１ｍＬのインスリンを２０時間かけて送達するようにプログラムされる。
【００５６】
注射は以下のように行われる。使用のとき、使用者は、ユーザーインターフェース１９によりデバイス１０を起動する。薬剤は、薬剤ポンプ機構２４によって薬剤リザーバ１２から薬剤流出ライン２３を通って分配篩３２の方に向けてポンプ輸送される。その間、滅菌水が、流体ポンプ機構２７によって流体リザーバ１５から流体流出ライン２６を通って流体チャンバ１６の方に向けてポンプ輸送される。水は、流体入口２９ａから流体チャンバ１６に入る。そして、電流パルスが電力供給源２０によって生成され、抵抗加熱要素３０内を循環する。その結果、加熱要素３０の温度が上昇し、熱が加熱要素３０から流体チャンバ１６内の水に伝達される。水は加熱されると蒸発し、流体チャンバ１６内の蒸気圧が上昇する。水は、流体チャンバ１６内で加熱され蒸発するとき、流体チャンバ１６内で再度殺菌されることに留意されたい。蒸気圧は、閾値に達するまで上昇し、達したところで水蒸気が流体チャンバ１６から微小ノズル２９ｂを通って吐出されて分配篩３２の方に向けて一気に放出され、分配篩３２の中を患者の皮膚の方に向けて薬剤を同伴する。
【００５７】
流体チャンバ１６から外に推進される水ストリームによって、薬剤の流れが、皮膚バリアに打ち勝ち患者の皮膚に十分な深さまで貫入できるほど十分な速度を有することが確実になる。患者の皮膚内への薬剤の注射深さは、やはりまた流体出口２９ｂを形成する微小ノズルの直径によっても決まる。一例として、微小ノズル直径が約１００μｍであり、薬剤の流れが約１００ｍ／ｓで移動する場合、約２ｍｍの注射深さが達成される。
【００５８】
さらに、水蒸気の蒸気圧は分配篩３２内で低下するので、その結果、ストリームの温度が低下する。室温の液体薬剤の場合、分配篩３２を通ってデバイス１０から流出する薬剤ストリームの温度は、注射の間に患者が薬剤ストリームの温度で不快さを感じないほど十分に低い。
【００５９】
第１の実施形態のデバイス１０は、分配篩の形態の薬剤受容要素１４を有するとして述べてきたが、本発明は、この特定のタイプのデバイスに対する限定を意図するものではなく、他のタイプのデバイスも本発明の範囲内に入るものとする。たとえば、一代替実施形態では、薬剤受容要素は、たとえばキャリアウェブまたは吸収性パッドである、多孔質部材を含む。吸収性パッドは、流体チャンバの下流に配置され、吸収によって薬剤を保持するように適用される。使用のとき、吸収性パッドには、薬剤リザーバから流れる薬剤が送り込まれる。流体チャンバから流体出口を通って排出された水蒸気は、吸収性パッドの中を流れ、そこで薬剤と接触し、患者の皮膚の方に向けてその薬剤を同伴する。さらなる一代替実施形態では、薬剤受容要素は、吸収性パッドと分配篩の両方を含む。吸収性パッドは、分配篩の上に配置される。吸収性パッドと分配篩は、流体チャンバの下流に配置される。使用のとき、流体チャンバから流体出口を通って排出された水蒸気は、吸収性パッドに流入し、そこで薬剤と接触し、その薬剤を同伴して分配篩の中を患者の皮膚の方に向かって通過する。
【００６０】
第２の実施形態の薬剤送達デバイス１１０は、図２に示され、第１の実施形態のデバイス１０と類似している。同じ構成は、同じ参照数字のままになっており、そのような同じ構成の詳細は繰り返し説明しない。
【００６１】
第１の実施形態のデバイス１０に対する第２の実施形態のデバイス１１０の違いは、第２の実施形態のデバイス１１０では、デバイス１１０は、単一の流体チャンバ１６を含むことである。しかし、一変形形態では、デバイス１１０は、２つ以上の流体チャンバ１６を含むことができる。
【００６２】
第１の実施形態のデバイス１０に対する第２の実施形態のデバイス１１０のさらなる違いは、第２の実施形態のデバイス１１０では、流体入口２９ａが、流体チャンバ１６の側壁に配置されることである。加えて、薬剤受容要素１４は、スチーム出口２９ｂの下流において、スチーム出口２９ｂに連結されるチャンバ３６の形態をしている。チャンバ３６は、チャンバ３６から下向きに延びる投薬ノズル３４の形態の送達部分を含む。投薬ノズル３４は、微小ノズルであってよい。投薬ノズル３４は、薬剤がデバイス１１０からそこを通って流れ出るオリフィスを提供するだけでなく、患者の皮膚に接触する面も提供する。流体出口２９ｂは、減少した直径の通路の形態であり、したがってベンチュリ通路またはベンチュリノズル３８が形成される。ベンチュリノズル３８内には、たとえばばねにより張力が掛けられるボールチェック弁（図３に示される）である、逆止弁またはチェック弁３３が配置される。チェック弁３３によって、確実に、蒸気圧が閾値に達するより前に水蒸気が流体チャンバ１６から漏れなくなる。チェック弁３３は、投薬ノズル３４を通って流れる薬剤ストリームが、患者の皮膚に向かって流れるときに十分な速度を有するように調節される。一代替実施形態では、流体出口２９ｂは、圧力センサと組み合わせられた電磁弁を含む。そのような代替構成は、流体出口２９ｂを通って流れるスチームを制御しやすいという利点を有する。
【００６３】
デバイス１１０では、水蒸気は、チャンバ３６内を流れている間に冷める。この温度の低下によって、水と薬剤が効率良く混合されるようになり、それによってデバイス１１０から患者の皮膚の方に向かう薬剤の効率の良い輸送が可能になる。
【００６４】
第１および第２の実施形態のデバイス１０、１１０は流体流出ライン２６内に配置される流体ポンプ機構２７を有するとして述べてきたが、本発明は、この特定のタイプのデバイスに対する限定を意図するものではなく、他のタイプのデバイス、たとえば図４に示されるように流体ポンプ機構２７が流体チャンバ１６の流体入口２９ａ内に配置されるデバイスも、本発明の範囲内に入るものとする。
【００６５】
第１および第２の実施形態１０、１１０の流体チャンバは、単一の流体出口をそれぞれ含むが、本発明は、この特定のタイプの流体チャンバに対する限定を意図するものではなく、他のタイプの流体チャンバ、たとえば２つ以上の流体出口を有する流体チャンバも、本発明の範囲内に入るものとする。
【００６６】
デバイス１０、１１０は、薬剤充填済みの薬剤リザーバ１２を含む。しかし、本発明は、この特定のタイプのデバイスに対する限定を意図するものではなく、他のタイプのデバイス、たとえばデバイスの２回の連続使用の合間またはカートリッジが空になったら交換することができる薬剤カートリッジを受けるカートリッジホルダを含むデバイスも、本発明の範囲内に入るものとする。
【００６７】
薬剤リザーバ１２および流体リザーバ１５は、デバイス１０、１１０を再使用できるように再充填することができる。しかし、本発明は、この特定のタイプのデバイスに対する限定を意図するものではなく、他のタイプのデバイス、たとえば、全部使い捨てのデバイス、またはたとえば使い捨て薬剤カートリッジおよび／もしくは使い捨て流体リザーバである、使い捨て部材と、たとえばデバイスの残りの部分である、再使用可能な部材とを含むデバイスも、本発明の範囲内に入るものとする。
【００６８】
上記の実施形態では、加熱要素３０は、抵抗加熱要素を含む。しかし、代替実施形態（図示せず）では、加熱要素は、異なる構成を有することができると理解されたい。たとえば、加熱要素は、ペルチエコントローラのような、流体チャンバ内の流体を加熱するように構成される熱電式コントローラを含むことができる。他の実施形態では、加熱要素は、燃焼により流体チャンバ内の流体を加熱するように構成される。たとえば、加熱要素は、流体チャンバ内の流体を加熱するために点火されるプロパンのようなガスである燃料の供給源を含むことができる。他の実施形態では、加熱要素は、流体チャンバ内の流体を加熱するために放射を放出する。一実施形態では、加熱要素は、流体を加熱するために流体チャンバの表面に照射されるレーザーを含む。
【００６９】
用語「薬物」または「薬剤」は、本明細書において同意語として使用され、１つまたはそれ以上の医薬品有効成分または薬学的に許容されるその塩もしくは溶媒和物と、場合により、薬学的に許容される担体とを含む医薬製剤を示す。医薬品有効成分（「ＡＰＩ」）とは、最も広範な言い方で、ヒトまたは動物に生物学的影響を及ぼす化学構造のことである。薬理学では、薬物または薬剤が、疾患の処置、治療、予防、または診断に使用され、またはそれとは別に、身体的または精神的健康を向上させるために使用される。薬物または薬剤は、限られた継続期間、または慢性疾患では定期的に、使用される。
【００７０】
以下に説明されるように、薬物または薬剤は、１つまたはそれ以上の疾患を処置するための、様々なタイプの製剤の少なくとも１つのＡＰＩ、またはその組み合わせを含むことができる。ＡＰＩの例としては、分子量が５００Ｄａ以下である低分子；ポリペプチド、ペプチド、およびタンパク質（たとえばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドが含まれ得る。核酸は、ベクター、プラスミド、またはリポソームなどの分子送達システムに組み込まれる。１つまたはそれ以上の薬物の混合物もまた企図される。
【００７１】
用語「薬物送達デバイス」は、薬物または薬剤をヒトまたは動物の体内に投薬するように構成されたあらゆるタイプのデバイスまたはシステムを包含するものである。それだけには限らないが、薬物送達デバイスは、注射デバイス（たとえばペン型注射器、自動注射器、大容量デバイス、ポンプ、潅流システム、または眼内、皮下、筋肉内、もしくは血管内送達にあわせて構成された他のデバイス）、皮膚パッチ（たとえば、浸透圧性、化学的）、吸入器（たとえば鼻用または肺用）、埋め込み型デバイス（たとえば、薬物またはＡＰＩコーティングされたステント、カプセル）、または胃腸管用の供給システムとすることができる。
【００７２】
薬物または薬剤は、薬物送達デバイスで使用するように適用された主要パッケージまたは「薬物容器」内に含まれる。薬物容器は、たとえば、カートリッジ、リザーバ、または１つもしくはそれ以上の薬物の保存（たとえば短期または長期保存）に適したチャンバを提供するように構成された他の固体もしくは可撓性の容器とすることができる。たとえば、場合によって、チャンバは、少なくとも１日（たとえば１日から少なくとも３０日まで）の間薬物を収納するように設計される。場合によって、チャンバは、約１カ月から約２年の間薬物を保存するように設計される。保存は、室温（たとえば約２０℃）または冷蔵温度（たとえば約−４℃から約４℃まで）で行うことができる。場合によって、薬物容器は、投与予定の医薬製剤の２つまたはそれ以上の成分（たとえばＡＰＩおよび希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に２つまたはそれ以上の成分間で混合することを可能にするように構成される。たとえば、２つのチャンバは、これらが（たとえば２つのチャンバ間の導管によって）互いに流体連通し、所望の場合、投薬の前にユーザによって２つの成分を混合することを可能にするように構成される。代替的に、またはこれに加えて、２つのチャンバは、成分がヒトまたは動物の体内に投薬されているときに混合することを可能にするように構成される。
【００７３】
本明細書において説明される薬物送達デバイス内に含まれる薬物または薬剤は、数多くの異なるタイプの医学的障害の処置および／または予防に使用される。障害の例としては、たとえば、糖尿病、または糖尿病性網膜症などの糖尿病に伴う合併症、深部静脈血栓塞栓症または肺血栓塞栓症などの血栓塞栓症が含まれる。障害の別の例としては、急性冠症候群（ＡＣＳ）、狭心症、心筋梗塞、がん、黄斑変性症、炎症、枯草熱、アテローム性動脈硬化症および／または関節リウマチがある。ＡＰＩおよび薬物の例としては、たとえば、それだけには限らないが、ハンドブックのＲｏｔｅ  Ｌｉｓｔｅ  ２０１４、主グループ１２（抗糖尿病薬物）または主グループ８６（腫瘍薬物）、およびＭｅｒｃｋ  Ｉｎｄｅｘ、第１５版などに記載されているものがある。
【００７４】
１型もしくは２型の糖尿病、または１型もしくは２型の糖尿病に伴う合併症の処置および／または予防のためのＡＰＩの例としては、インスリン、たとえばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容されるその塩もしくは溶媒和物、またはそれらの任意の混合物が含まれる。本明細書において使用される用語「類似体」および「誘導体」は、元の物質と構造的に十分に類似しており、それによって同様の機能または活性（たとえば治療効果性）を有することができる任意の物質を指す。特に、用語「類似体」は、天然のペプチドの構造、たとえばヒトのインスリンの構造から、天然のペプチド中に見出される少なくとも１つのアミノ酸残基を欠失させるおよび／もしくは交換することによって、ならびに／または少なくとも１つのアミノ酸残基を付加することによって式上で得られる分子構造を有するポリペプチドを指す。付加および／または交換されるアミノ酸残基は、コード可能なアミノ酸残基、または他の天然の残基もしくは完全に合成によるアミノ酸残基とすることができる。インスリン類似体は「インスリン受容体リガンド」とも呼ばれる。特に、用語「誘導体」は、１つまたはそれ以上の有機置換基（たとえば、脂肪酸）が１つまたはそれ以上のアミノ酸に結合している、天然のペプチドの構造、たとえばヒトのインスリンの構造から式上で得られる分子構造を有するポリペプチドを指す。場合により、天然のペプチド中に見出される１つまたはそれ以上のアミノ酸が、欠失され、かつ／もしくはコード不可能なアミノ酸を含む他のアミノ酸によって置換されていてもよく、または、コード不可能なアミノ酸を含むアミノ酸が、天然のペプチドに付加されていてもよい。
【００７５】
インスリン類似体の例としては、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン（インスリングルリジン）；Ｌｙｓ（Ｂ２８），Ｐｒｏ（Ｂ２９）ヒトインスリン（インスリンリスプロ）；Ａｓｐ（Ｂ２８）ヒトインスリン（インスリンアスパルト）；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置換されているヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンがある。
【００７６】
インスリン誘導体の例としては、たとえば、Ｂ２９−Ｎ−ミリストイル−ｄｅｓ（Ｂ３０）ヒトインスリン；Ｌｙｓ（Ｂ２９）（Ｎ−テトラデカノイル）−ｄｅｓ（Ｂ３０）ヒトインスリン（インスリンデテミル、Ｌｅｖｅｍｉｒ（登録商標））、Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−ω−カルボキシヘプタデカノイル−γ−Ｌ−グルタミル−ｄｅｓ（Ｂ３０）ヒトインスリン（インスリンデグルデク、Ｔｒｅｓｉｂａ（登録商標））、Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンがある。
【００７７】
ＧＬＰ−１、ＧＬＰ−１類似体およびＧＬＰ−１受容体アゴニストの例としては、たとえば、リキシセナチド（Ｌｙｘｕｍｉａ（登録商標）、エキセナチド（エキセンディン−４、Ｄｙｅｔｔａ（登録商標）、Ｂｙｄｕｒｅｏｎ（登録商標）、アメリカドクトカゲの唾液腺によって産生される３９アミノ酸ペプチド）、リラグルチド（Ｖｉｃｔｏｚａ（登録商標））、セマグルチド、タスポグルチド、アルビグルチド（Ｓｙｎｃｒｉａ（登録商標））、デュラグルチド（Ｔｒｕｌｉｃｉｔｙ（登録商標））、ｒエキセンディン−４、ＣＪＣ−１１３４−ＰＣ、ＰＢ−１０２３、ＴＴＰ−０５４、ラングレナチド／ＨＭ−１１２６０Ｃ、ＣＭ−３、ＧＬＰ−１エリゲン（Ｅｌｉｇｅｎ）、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド−ＸＴＥＮおよびグルカゴン−Ｘｔｅｎがある。
【００７８】
オリゴヌクレオチドの例としては、たとえば：家族性高コレステロール血症の処置のためのコレステロール低下アンチセンス治療薬である、ミポメルセンナトリウム（Ｋｙｎａｍｒｏ（登録商標））がある。
【００７９】
ＤＰＰ４阻害剤の例としては、ビルダグリプチン、シタグリプチン、デナグリプチン、サキサグリプチン、ベルベリンがある。
【００８０】
ホルモンの例としては、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストが含まれる。
【００８１】
多糖類の例としては、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩が含まれる。ポリ硫酸化低分子量ヘパリンの薬学的に許容される塩の例としては、エノキサパリンナトリウムがある。ヒアルロン酸誘導体の例としては、ハイランＧ−Ｆ２０（Ｓｙｎｖｉｓｃ（登録商標））、ヒアルロン酸ナトリウムがある。
【００８２】
本明細書において使用する用語「抗体」は、免疫グロブリン分子またはその抗原結合部分を指す。免疫グロブリン分子の抗原結合部分の例には、抗原を結合する能力を保持するＦ（ａｂ）およびＦ（ａｂ’）２フラグメントが含まれる。抗体は、ポリクローナル、モノクローナル、組換え型、キメラ型、非免疫型またはヒト化、完全ヒト型、非ヒト型（たとえばネズミ）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。たとえば、抗体は、アイソタイプもしくはサブタイプ、抗体フラグメントまたは変異体とすることができ、これはＦｃ受容体との結合を支持せず、たとえば、突然変異した、または欠失したＦｃ受容体結合領域を有する。用語の抗体はまた、四価二重特異性タンデム免疫グロブリン（ＴＢＴＩ）および／または交差結合領域の配向性を有する二重可変領域抗体様結合タンパク質（ＣＯＤＶ）に基づく抗体結合分子を含む。
【００８３】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（たとえば、抗体重鎖および／または軽鎖ポリペプチド）由来のポリペプチドを指す。抗体フラグメントは、全長抗体ポリペプチドの切断された部分を含むことができるが、この用語はそのような切断されたフラグメントに限定されない。本発明に有用である抗体フラグメントは、たとえば、Ｆａｂフラグメント、Ｆ（ａｂ’）２フラグメント、ｓｃＦｖ（一本鎖Ｆｖ）フラグメント、直鎖抗体、単一特異性抗体フラグメント、または二重特異性、三重特異性、四重特異性および多重特異性抗体（たとえば、ダイアボディ、トリアボディ、テトラボディ）などの多重特異性抗体フラグメント、一価抗体フラグメント、または二価、三価、四価および多価抗体などの多価抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例が当技術分野で知られている。
【００８４】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【００８５】
抗体の例としては、アンチＰＣＳＫ−９ｍＡｂ（たとえばアリロクマブ）、アンチＩＬ−６ｍＡｂ（たとえばサリルマブ）、およびアンチＩＬ−４ｍＡｂ（たとえばデュピルマブ）がある。
【００８６】
本明細書において説明される任意のＡＰＩの薬学的に許容される塩もまた、薬物送達デバイスにおける薬物または薬剤の使用に企図される。薬学的に許容される塩は、たとえば酸付加塩および塩基性塩である。
【００８７】
本明細書に記載のＡＰＩｓ、配合、装置、方法、システムおよび実施形態の様々な構成要素の修正（追加および／または削除）は、本発明の全範囲および趣旨から逸脱することなく行うことができ、本発明は、そのような修正、および本発明のあらゆる均等物もすべて包含することが当業者には理解されよう。
【図１Ａ】
2020501829.tif 000004
【図１Ｂ】
2020501829.tif 000005
【図２】
2020501829.tif 000006
【図３】
2020501829.tif 000007
【図４】
2020501829.tif 000008
【国際調査報告】
2020501829.tif 000009
2020501829.tif 000010
2020501829.tif 000011
2020501829.tif 000012
2020501829.tif 000013